(57)【要約】【課題】使用者側に常にハンドルの握り面が向くようにし、ドアが閉まっているときでも開いているときでも、ドアの開閉を容易に行うことができる加熱調理器を得ること。【解決手段】本体１の下部に回動自在に取りつけたドア４、このドア４に取りつけたドア開閉用のハンドル７を備えた加熱調理器において、ハンドル７をドア４の上面６に取りつけた。また、ハンドル７をドア４の上面６に垂直方向又は水平方向に回動自在に取りつけ、このハンドル７に、ハンドル７がドア４の上面６の垂直方向に位置したときは、ドア４にロックするロック機構を設けた。【選択図】　　　　図１
2004138351.tif 000002
【特許請求の範囲】
【請求項１】
本体の下部に回動自在に取りつけたドア、該ドアに取りつけたドア開閉用のハンドル等を備えた加熱調理器において、
前記ハンドルを前記ドアの上面に取り付けたことを特徴とする加熱調理器。
【請求項２】
ハンドルをドアの上面に垂直方向又は水平方向に回動自在に取りつけ、前記ハンドルに、該ハンドルが前記ドアの上面の垂直方向に位置したときに前記ドアにロックするロック機構を設けたことを特徴とする請求項１記載の加熱調理器。
【請求項３】
ハンドルをドアの上面に固定すると共に、該ハンドルの握り部の高さ位置を本体上面の高さ位置と等しいか又は低くしたことを特徴とする請求項１記載の加熱調理器。
【請求項４】
ハンドルをドアの上面に回動自在に取りつけ、前記ドアの開閉時に前記ハンドルが常時床面とほぼ平行になる角度調整機構を備えたことを特徴とする請求項１記載の加熱調理器。
【請求項５】
ハンドルの握り部を、該握り部を支持する両腕部に対して回転自在に取りつけたことを特徴とする請求項１乃至４項のいずれかに記載の加熱調理器。
【発明の詳細な説明】
【０００１】
【発明の属する技術分野】
本発明は、本体のドアの開閉を容易に行うことができる加熱調理器に関するものである。
【０００２】
【従来の技術】
従来の加熱調理器においては、机や棚に設置された調理器本体のドアの前面上部に取りつけられたハンドルを握ってドアを開け、調理器本体の内部に調理するものを置いていた（例えば、特許文献１参照）。
【０００３】
【特許文献１】
特開平８−３５６６８号公報（　第１〜５頁、図１）
【０００４】
【発明が解決しようとする課題】
従来の一般的な加熱調理器は上記のように構成されているので、調理器本体が置かれた場所によっては、例えば、調理器本体が使用者の肩より低い位置に設置されている場合は、ドアの前面上部にハンドルが取り付けてあるので、使用者が順手でハンドルを握った場合、ドアが開ききったときに不自然な状態となる。これでは途中で手を離すか、ハンドルと別の部分を持たなくてはならないため、使い勝手が悪い。また、ハンドルを逆手で握った場合も、同様に不自然な状態となる。
【０００５】
本発明は、上記のような課題を解決するためになされたもので、使用者側に常にハンドルの握り面が向くようにし、ドアが閉まっているときでも開いているときでも、ドアの開閉を容易に行うことができる加熱調理器を提供することを目的とする。
【０００６】
【課題を解決するための手段】
本発明は、本体の下部に回動自在に取りつけたドア、このドアに取りつけたドア開閉用のハンドル等を備えた加熱調理器において、ハンドルをドアの上面に取り付けたものである。
【０００７】
【発明の実施の形態】
［実施の形態１］
図１は本発明の実施の形態１に係る加熱調理器の斜視図である。加熱調理器は、調理器の本体１、本体１の前面に設けた操作パネル２、表示器３、本体１の下部において本体１に対して回動自在に取り付けられたドア４、ドア４に設けた窓５、及びドア４の上面６に取り付けたコ字状のハンドル７によって構成されている。ハンドル７は、握り部８と、両腕部９、１０からなり、両腕部９、１０の端部がドア４の上面６に取りつけられている。
【０００８】
図２は図１のハンドル７の右側面図、図３は一部を省略した図１のハンドル７及びドア４の前面側の一部断面図である。
ハンドル７の両腕部９，１０（両者は同じ構造なので、以下腕部１０について説明する）の側壁には、ドア４に回動可能に嵌合された支持軸１１が設けられており、ハンドル７は支持軸１１を軸にして回動自在に支持されている。腕部１０は中空（以下中空部１３という）に形成されており、この中空部１３内にはロック機構１４が配設されている。
【０００９】
このロック機構１４を構成する板状（又は棒状）の本体部１５の上部には、腕部１０の側壁に設けた開口部１２ａから突出するロック解除ボタン１６が設けられており、その下方には腕部１０の開口部１２ｂから突出するロック突部１７が設けられている。そして、このロック突部１７は、腕部１０の他方の側壁との間に介装されたばね１８に付勢されて、ドア４に設けた係止穴１９に係止している。
【００１０】
このように構成したロック機構１４において、例えば、図１に示すように、ハンドル７がドア４の上面６に垂直状態に位置している場合、ロック解除ボタン１６を矢印ａ方向に押すと、ばね１８が圧縮されてロック突部１７が係止穴１９から離脱してロックが解除されるので、ハンドル７を支持軸１１を軸にドア４の上面６側から前面側に、すなわち、図２の矢印ｂ方向に、図３では図の前面側に回動することができ、これにより、ハンドル７はドア４の前面側にほぼ水平に保持される。なお、ドア４に第２の係止穴（図示せず）を設け、ドア４を前面側に回動したときにロック突部１７がこの第２の係止穴に係止するようにしてもよい。
【００１１】
次に、本実施の形態の作用を説明する。加熱調理器の本体１を使用者の肩より低い位置に設置した場合は、ハンドル７をドア４の上面６側にほぼ垂直に位置させればよい。この場合は、例えば、ハンドル７が図４に示すようにドア４の前面側にあるときは、ハンドル７を図の上方に押上げると、ハンドル７は支持軸１１を軸に矢印ｃ方向に回動し、ドア４の上面６側に達するとロック機構１４のロック突部１７がドア７の係止穴１９に係止し、ハンドル７は図１に示すようにドア４の上面６側に位置し、ロックされる。この状態でハンドル７を握って手前に引けば、ドア４を容易に開放することができる。なお、前述のように、ハンドル７をドア４の前面側に位置させたときにもロックするようにした場合は、先ず、ロック解除ボタン１６を押してロックを解除したのちハンドル７を回動すればよい。
【００１２】
また、加熱調理器の本体１を使用者の肩より高い位置に設置した場合は、ハンドル７をドア４の前面側にほぼ水平に位置させればよい。この場合は、例えば、ハンドル７が図１に示すようにドア４の上面６側にあるときは、ハンドル７のロック解除ボタン１６を押してロックを解除し、ハンドル７を矢印ｄ方向に回動すればよい。この状態でハンドル７を握って手前に引けば、ドア４を容易に開放することができる。
上記のように構成した本実施の形態によれば、加熱調理器の設置場所に応じてハンドル７の位置を変えることができるので、ドア４の開閉を容易に行うことができ、使い勝手のよい加熱調理器を得ることができる。
【００１３】
［実施の形態２］
図５は本発明の実施の形態２に係る加熱調理器の斜視図である。本実施の形態は、実施の形態１のハンドル７の握り部８を例えば円筒状に形成し、かつ、回転自在に構成したものである。すなわち、ハンドル７の円筒状の握り部８を、その両腕部９、１０で回転自在に支持したものである。
【００１４】
上記のように構成した本実施の形態によれば、ハンドル７の握り部８を持ってドア４を開閉すると、ハンドル７の高さに応じてドア４の開閉位置が変化するが、ハンドル７位置の変化と共にハンドル７の握り部８が両腕部９、１０の周りで回転する。
このように、ドア４の開閉に伴いハンドル７の高さが変わってもハンドル７の握り部８が回転するので、手首を不自然にひねったり、ハンドル７を握り直したり、しゃがんだりするなどの必要がなく、ドア４の開閉を容易に行うことができる。
【００１５】
上記の説明では、実施の形態１のハンドル７の握り部８を回転自在に構成した場合を示したが、実施の形態１のハンドル７を回動不能にドア４に固定し、その握り部８を回転自在に構成してもよい。また、ハンドル７の両腕部９，１０に円筒状の握り部８を回転自在に取付けた場合を示したが、握り部８を腕部９，１０と一体に形成し、この握り部８にパイプ状の鞘管を回転自在に嵌合してもよい。
【００１６】
［実施の形態３］
図６は本発明の実施の形態３に係る加熱調理器の斜視図である。本実施の形態においては、ドア４の上面６の位置が本体１の上面の位置よりも低くなっており、両者間に段差が設けられている。そして、ドア４の上面６の両側に、ハンドル７の握り部８を回転自在に支持する支持部９ａ，１０ａを設けたものである。この場合、ハンドル７の握り部８は、本体１の上面と等しい高さ位置か又はそれよりも低い高さ位置に設定されている。
【００１７】
本実施の形態によれば、ハンドル７の握り部８を持ってドア４を開閉すると、ハンドル７の高さに応じてドア４の開閉位置が変化するが、ハンドル７位置の変化と共にハンドル７の握り部８が支持部９ａ，１０ａを軸として回転する。
このように、ドア４の開閉に伴いハンドル７の高さが変わってもハンドル７の握り部８が回転するので、手首を不自然にひねったり、ハンドル７を握り直したり、しゃがんだりするなどの必要がなく、ドア４の開閉を容易に行うことができる。また、ハンドル７の位置を本体１の上面と同じかまたは低くなるようにしたので、本体１の上面に突出部がなく、フラットにすることができる。
【００１８】
［実施の形態４］
本実施に係る加熱調理器は、実施の形態１におけるロック機構１４を省略し、ハンドルを支持軸１１によりドア４に回動自在に取付けたものである。
【００１９】
本実施の形態によれば、ハンドル７を持ってドア４を開閉すると、手の高さ変化がすなわちハンドル７の高さ変化となり、ハンドル７が握り方向に自在に回動する。
このように、ハンドル７の位置が手の高さに追随した位置となって移動していくため、手首を不自然にひねったり、ハンドル７を握り直したり、しゃがんだりする必要がなく、ドア４を容易に開閉することができる。
【００２０】
［実施の形態５］
図７、図８は本発明の実施の形態５に係る加熱調理器の斜視図及び作用説明図である。本実施の形態は、コ字状のハンドル７に実施の形態１で示したロック機構１４が設けられておらず、ドア４が開いたときにハンドル７が常に床面１８と平行になるような角度調整機構（図示せず）を設けたものである。
【００２１】
上記のように構成した本実施の形態においては、図８に示すように、ハンドル７の握り部８を握って手前に引くとドア４が開かれるが、どのような開き状態にあっても、ハンドル７は常に床面２０に平行になり、ドア４が開ききった場合は、図７に示すように、ドア４及びハンドル７のいずれも床面２０に平行になる。従って、本実施の形態に係る加熱調理器によれば、ハンドル７の握り部８は常に使用者側にあることになり、このため開閉動作が自然に行われるとともに、本体１の上面をフラットにすることができる。
【００２２】
【発明の効果】
以上の説明から明らかなように、本発明に係る加熱調理器によれば、使用者側に常にハンドルの握り部が向くように構成したので、ドアが閉まっているときでも開いているときでも、ドアの開閉を容易に行うことができる。
【図面の簡単な説明】
【図１】本発明の実施の形態１に係る加熱調理器の斜視図である。
【図２】図１のハンドルの側面図である。
【図３】一部を省略した図１のハンドル及びドアの前面側の一部断面図である。
【図４】図１の作用説明図である。
【図５】本発明の実施の形態２に係る加熱調理器の斜視図である。
【図６】本発明の実施の形態３に係る加熱調理器の斜視図である。
【図７】本発明の実施の形態５に係る加熱調理器のドアを開いた状態の斜視図である。
【図８】図７の作用説明図である。
【符号の説明】
１　本体、４　ドア、６　ドアの上面、７　ハンドル、８　握り部、９，１０
腕部、１４　ロック機構。
【図１】
2004138351.tif 000003
【図２】
2004138351.tif 000004
【図３】
2004138351.tif 000005
【図４】
2004138351.tif 000006
【図５】
2004138351.tif 000007
【図６】
2004138351.tif 000008
【図７】
2004138351.tif 000009
【図８】
2004138351.tif 000010